(57)【特許請求の範囲】
【請求項１】
コンテンツサーバと、該コンテンツサーバと通信可能に接続される複数の広告表示端末とを含む広告表示システムにおいて、
前記コンテンツサーバは、
広告を表す１または複数の広告情報と、前記広告情報を予め定める項目によって分類した分類結果とを、互いに関連付けた状態で記憶する広告記憶手段を有し、
前記広告表示端末は、
前記広告情報を表示する広告表示部と、
各広告表示端末に広告情報を表示することが可能な状態に設定するための表示許可条件であって、前記予め定める項目に基づいて定められる表示許可条件を予め記憶する表示許可記憶手段と、
広告情報の広告主によって、前記広告記憶手段に記憶された前記広告情報のうちいずれかの広告情報の表示を広告表示端末に対して要求するための表示要求情報を入力する入力手段と、
前記入力手段によって表示要求情報が入力されると、入力された表示要求情報によって表示が要求された広告情報に関連付けられた分類結果を前記コンテンツサーバから取得し、取得した分類結果について、前記表示許可記憶手段に記憶された表示許可条件を満たすか否かを判定する判定手段と、
前記判定手段によって前記分類結果が前記表示許可条件を満たすと判定されるとき、前記広告情報を前記コンテンツサーバから取得し、取得した広告情報を前記広告表示部に表示させ、前記判定手段によって前記分類結果が前記表示許可条件を満たさないと判定されるとき、前記広告情報を前記広告表示部に表示させない表示制御手段とを有することを特徴とする広告表示システム。
【請求項２】
前記コンテンツサーバは、前記各広告情報および前記各分類結果に、互いに関連付けられた識別情報を作成し、
前記表示要求情報は、前記識別情報を含み、
前記判定手段は、前記入力手段によって識別情報が含まれる表示要求情報が入力されると、入力された表示要求情報に含まれる識別情報に予め関連付けられた分類結果を前記コンテンツサーバから取得し、取得した分類結果について、前記表示許可記憶手段に記憶された表示許可条件を満たすか否かを判定し、
前記表示制御手段は、前記判定手段によって前記分類結果が前記表示許可条件を満たすと判定されるとき、前記識別情報に関連付けられた前記広告情報を前記コンテンツサーバから取得し、取得した広告情報を前記広告表示部に表示させ、前記判定手段によって前記分類結果が前記表示許可条件を満たさないと判定されるとき、前記識別情報に関連付けられた前記広告情報を前記広告表示部に表示させないことを特徴とする請求項１に記載の広告表示システム。
【請求項３】
前記広告表示端末と通信可能で前記表示要求情報を記憶する携帯用端末をさらに含み、
前記広告情報および前記分類結果に対する電子署名が作成され、
前記表示要求情報は、前記分類結果および前記電子署名を含み、
前記携帯用端末が前記表示要求情報を前記広告表示端末に送信すると、
前記判定手段は、前記表示要求情報を受信し、受信した表示要求情報に含まれる前記電子署名に基づいて分類結果が改ざんされたか否かを判断し、改ざんがないと判断するとき、前記分類結果について前記表示許可条件を満たすか否かの判定を行い、改ざんがあると判断するとき、前記表示制御手段が、前記広告情報を前記広告表示部に表示させないことを特徴とする請求項１に記載の広告表示システム。
【請求項４】
前記予め定める項目は、広告情報が示す広告の視聴者の年齢に関する項目を含むことを特徴とする請求項１〜３のいずれか１つに記載の広告表示システム。
【請求項５】
前記予め定める項目は、広告情報を表示させる時刻に関する項目を含むことを特徴とする請求項１〜４のいずれか１つに記載の広告表示システム。
【請求項６】
前記予め定める項目は、広告情報が示す広告の分野に関する項目を含むことを特徴とする請求項１〜５のいずれか１つに記載の広告表示システム。
【請求項７】
前記表示許可記憶手段は、前記広告の分野に関する項目について、広告情報の表示の許可に対する追加料金が広告主から支払われることによって前記表示許可条件を緩和する第２の表示許可条件を記憶することを特徴とする請求項６に記載の広告表示システム。
【請求項８】
コンテンツサーバと、該コンテンツサーバと通信可能に接続される複数の広告表示端末とを含む広告表示システムによって実行される広告表示方法において、
コンテンツサーバの広告記憶手段が、広告を表す１または複数の広告情報と、前記広告情報を予め定める項目によって分類した分類結果とを、互いに関連付けた状態で予め記憶する広告記憶工程と、
広告表示端末の表示許可記憶手段が、各広告表示端末に広告情報の表示の許可を設定する表示許可条件であって、前記予め定める項目に基づいて定められる表示許可条件を予め記憶する表示許可記憶工程と、
広告表示端末の入力手段が、広告情報の広告主によって、前記広告記憶工程で記憶された前記広告情報のうちいずれかの広告情報の表示を広告表示端末に対して要求するための表示要求情報を入力する入力工程と、
前記入力工程で、表示要求情報が入力されると、広告表示端末の判定手段が、入力された表示要求情報によって表示が要求された広告情報に関連付けられた分類結果を前記コンテンツサーバから取得し、取得した分類結果について、前記表示許可記憶工程で記憶された表示許可条件を満たすか否かを判定する判定工程と、
広告表示端末の表示制御手段が、前記判定工程によって前記分類結果が前記表示許可条件を満たすと判定されるとき、前記広告情報を前記コンテンツサーバから取得し、取得した広告情報を前記広告表示端末の広告表示部に表示させ、前記判定工程によって前記分類結果が前記表示許可条件を満たさないと判定されるとき、前記広告情報を前記広告表示部に表示させない表示制御工程とを含むことを特徴とする広告表示方法。
【発明の詳細な説明】
【技術分野】
【０００１】
本発明は、広告情報の表示要求に応答して広告情報を表示させる広告表示システムおよび広告表示方法に関する。
【背景技術】
【０００２】
図３０は、第１の従来技術に係る広告表示装置８１の構成を示すブロック図である。広告表示装置８１は、広告情報を表示する複数の表示端末８２と、広告情報を管理するサーバ８３とを含んで構成される。表示端末８２は、たとえば街中に設置されるデジタルサイネージ（Digital Signage：電子看板）であり、サーバ８３は、たとえば広告代理店に設置される。表示端末８２を設置する場所の所有者であるロケーションオーナーは、表示端末８２の維持管理を、広告代理店に委託している。広告代理店は、広告主から広告情報の表示が要求されると、広告情報の内容を審査する。サーバ８３は、審査された広告情報を表示端末８２へ送信し、表示端末８２は、受信した広告情報を表示させる。
【０００３】
図３１は、第２の従来技術に係る広告表示装置８６の構成を示すブロック図である。広告表示装置８６は、複数の表示端末８７と、送信端末８８とを含んで構成される。広告主は、送信端末８８を用いて、広告情報の表示を希望する表示端末８７に対して、広告情報を送信する。表示端末８７は、受信した広告情報を即時に表示させる。
【０００４】
第３の従来技術として、インターネットを介して電子メールの送信を行うときに、その電子メールに広告情報を添付するインターネットの配信広告システムが特許文献１に開示される。配信広告システムは、広告データベースと、ユーザ個人情報登録手段とを含んで構成される。広告データベースは、複数の広告情報を記憶する。ユーザ個人情報登録手段は、広告データベースに記憶される広告情報のうち、ユーザが配信を希望する広告情報を登録する。配信広告システムは、広告データベースに記憶される広告データの中からユーザの希望する広告情報を選択し、選択した広告情報をユーザの電子メールに添付して配信する。
【先行技術文献】
【特許文献】
【０００５】
【特許文献１】特開２００２−１８３５９５号公報
【発明の概要】
【発明が解決しようとする課題】
【０００６】
しかし、第１の従来の技術では、広告代理店は、広告情報の内容を審査することができるけれども、ロケーションオーナーは、広告情報の内容を事前にチェックすることができない。したがって、ロケーションオーナーは、表示端末８２の設置場所などに応じて、広告情報の表示を制限することができない。さらに、第１の従来の技術では、広告主が広告表示要求を行った後、広告代理店が審査を行うので、迅速な広告表示を行うことができない。
【０００７】
また、第２の従来の技術では、広告主が広告表示要求を行うと、即時に広告を表示することができるけれども、ロケーションオーナーは、自己の表示端末８７にどのような広告情報が表示されるのかについて関与することができない。したがって、第２の従来の技術では、ロケーションオーナーの意図に反する広告情報、たとえば競合他社の広告情報、公序良俗に反する広告情報などが、表示端末８７に表示されることを防止できない。
【０００８】
また、第３の従来の技術である広告配信システムは、情報発信側である情報発信ユーザの意図を反映させた広告を配信させることができるけれども、情報受信側の意図を反映させることはできないし、またこの技術を第１，第２の従来の技術に適用しても、ロケーションオーナーの意図を反映させた広告の表示を行うことができない。
【０００９】
本発明の目的は、広告主からの広告表示要求に応答して、ロケーションオーナーの意図を反映した広告を迅速に表示させることができる広告表示システムおよび広告表示方法を提供する。
【課題を解決するための手段】
【００１０】
本発明は、コンテンツサーバと、該コンテンツサーバと通信可能に接続される複数の広告表示端末とを含む広告表示システムにおいて、
前記コンテンツサーバは、
広告を表す１または複数の広告情報と、前記広告情報を予め定める項目によって分類した分類結果とを、互いに関連付けた状態で記憶する広告記憶手段を有し、
前記広告表示端末は、
前記広告情報を表示する広告表示部と、
各広告表示端末に広告情報を表示することが可能な状態に設定するための表示許可条件であって、前記予め定める項目に基づいて定められる表示許可条件を予め記憶する表示許可記憶手段と、
広告情報の広告主によって、前記広告記憶手段に記憶された前記広告情報のうちいずれかの広告情報の表示を広告表示端末に対して要求するための表示要求情報を入力する入力手段と、
前記入力手段によって表示要求情報が入力されると、入力された表示要求情報によって表示が要求された広告情報に関連付けられた分類結果を前記コンテンツサーバから取得し、取得した分類結果について、前記表示許可記憶手段に記憶された表示許可条件を満たすか否かを判定する判定手段と、
前記判定手段によって前記分類結果が前記表示許可条件を満たすと判定されるとき、前記広告情報を前記コンテンツサーバから取得し、取得した広告情報を前記広告表示部に表示させ、前記判定手段によって前記分類結果が前記表示許可条件を満たさないと判定されるとき、前記広告情報を前記広告表示部に表示させない表示制御手段とを有することを特徴とする広告表示システムである。
【００１１】
また本発明は、前記コンテンツサーバは、前記各広告情報および前記各分類結果に、互いに関連付けられた識別情報を作成し、
前記表示要求情報は、前記識別情報を含み、
前記判定手段は、前記入力手段によって識別情報が含まれる表示要求情報が入力されると、入力された表示要求情報に含まれる識別情報に予め関連付けられた分類結果を前記コンテンツサーバから取得し、取得した分類結果について、前記表示許可記憶手段に記憶された表示許可条件を満たすか否かを判定し、
前記表示制御手段は、前記判定手段によって前記分類結果が前記表示許可条件を満たすと判定されるとき、前記識別情報に関連付けられた前記広告情報を前記コンテンツサーバから取得し、取得した広告情報を前記広告表示部に表示させ、前記判定手段によって前記分類結果が前記表示許可条件を満たさないと判定されるとき、前記識別情報に関連付けられた前記広告情報を前記広告表示部に表示させないことを特徴とする。
【００１２】
また本発明は、前記広告表示端末と通信可能で前記表示要求情報を記憶する携帯用端末をさらに含み、
前記広告情報および前記分類結果に対する電子署名が作成され、
前記表示要求情報は、前記分類結果および前記電子署名を含み、
前記携帯用端末が前記表示要求情報を前記広告表示端末に送信すると、
前記判定手段は、前記表示要求情報を受信し、受信した表示要求情報に含まれる前記電子署名に基づいて分類結果が改ざんされたか否かを判断し、改ざんがないと判断するとき、前記分類結果について前記表示許可条件を満たすか否かの判定を行い、改ざんがあると判断するとき、前記表示制御手段が、前記広告情報を前記広告表示部に表示させないことを特徴とする。
【００１３】
また本発明は、前記予め定める項目は、広告情報が示す広告の視聴者の年齢に関する項目を含むことを特徴とする。
【００１４】
また本発明は、前記予め定める項目は、広告情報を表示させる時刻に関する項目を含むことを特徴とする。
【００１５】
また本発明は、前記予め定める項目は、広告情報が示す広告の分野に関する項目を含むことを特徴とする。
【００１６】
また本発明は、前記表示許可記憶手段は、前記広告の分野に関する項目について、広告情報の表示の許可に対する追加料金が広告主から支払われることによって前記表示許可条件を緩和する第２の表示許可条件を記憶することを特徴とする。
【００１７】
また本発明は、コンテンツサーバと、該コンテンツサーバと通信可能に接続される複数の広告表示端末とを含む広告表示システムによって実行される広告表示方法において、
コンテンツサーバの広告記憶手段が、広告を表す１または複数の広告情報と、前記広告情報を予め定める項目によって分類した分類結果とを、互いに関連付けた状態で予め記憶する広告記憶工程と、
広告表示端末の表示許可記憶手段が、各広告表示端末に広告情報の表示の許可を設定する表示許可条件であって、前記予め定める項目に基づいて定められる表示許可条件を予め記憶する表示許可記憶工程と、
広告表示端末の入力手段が、広告情報の広告主によって、前記広告記憶工程で記憶された前記広告情報のうちいずれかの広告情報の表示を広告表示端末に対して要求するための表示要求情報を入力する入力工程と、
前記入力工程で、表示要求情報が入力されると、広告表示端末の判定手段が、入力された表示要求情報によって表示が要求された広告情報に関連付けられた分類結果を前記コンテンツサーバから取得し、取得した分類結果について、前記表示許可記憶工程で記憶された表示許可条件を満たすか否かを判定する判定工程と、
広告表示端末の表示制御手段が、前記判定工程によって前記分類結果が前記表示許可条件を満たすと判定されるとき、前記広告情報を前記コンテンツサーバから取得し、取得した広告情報を前記広告表示端末の広告表示部に表示させ、前記判定工程によって前記分類結果が前記表示許可条件を満たさないと判定されるとき、前記広告情報を前記広告表示部に表示させない表示制御工程とを含むことを特徴とする広告表示方法である。
【発明の効果】
【００１８】
本発明によれば、広告表示システムは、コンテンツサーバと、該コンテンツサーバと通信可能に接続される複数の広告表示端末とを含み、コンテンツサーバは広告記憶手段を有し、広告表示端末は広告表示部と、入力手段と、表示許可記憶手段と、判定手段と、表示制御手段とを含んで構成される。広告記憶手段によって、広告を表す１または複数の広告情報と、広告情報を予め定める項目によって分類した分類結果とが、互いに関連付けた状態で記憶される。表示許可記憶手段によって、予め定める項目に基づいて定められる表示許可条件が、予め記憶される。表示許可条件は、広告表示端末の所有者または広告代理店などの広告表示端末の管理者が、広告表示端末に広告情報を表示することが可能な状態に設定するためのものである。広告情報の広告主によって、広告記憶手段に記憶された広告情報のうちいずれかの広告情報の表示を広告表示端末に対して要求するための表示要求情報が広告表示端末に入力されると、判定手段が、入力された表示要求情報によって表示が要求された広告情報に関連付けられた分類結果を前記コンテンツサーバから取得し、取得した広告情報に関連付けて記憶された分類結果について、表示許可記憶手段に記憶された表示許可条件を満たすか否かが判定される。表示制御手段によって、判定手段によって分類結果が表示許可条件を満たすと判定されるとき、前記広告情報を前記コンテンツサーバから取得し、取得した広告情報が広告表示部に表示され、判定手段によって分類結果が表示許可条件を満たさないと判定されるとき、広告情報が広告表示部に表示されない。
【００１９】
広告表示システムは、広告情報と分類結果とを互いに関連付けて予め記憶し、広告表示端末に表示許可条件を予め設定している。これによって、広告表示システムは、広告主からの表示要求情報が入力されると、広告情報に関連付けられた分類結果が、表示許可条件を満たすか否かを、自動的に迅速に判定することができる。したがって、広告主は、任意の時刻に任意の広告表示端末に対して、表示要求情報を入力し、表示許可条件を満たす場合には、表示要求情報を入力した時点から即時に広告情報を表示させることができる。
【００２０】
また、広告表示端末の所有者は、広告表示端末に表示許可条件を設定しておくことができる。これによって、広告表示システムは、広告表示端末所有者の希望しない内容の広告が、広告表示端末に表示されることを、常時監視することなく防止することができる。
【００２１】
また本発明によれば、各広告情報および各分類結果に、互いに関連付けられた識別情報が作成される。表示要求情報には、識別情報が含まれる。識別情報が含まれる表示要求情報が入力されると、判定手段によって、入力された識別情報に予め関連付けられた分類結果について、表示許可記憶手段に記憶された表示許可条件を満たすか否かが判定される。表示制御手段によって、判定手段によって分類結果が表示許可条件を満たすと判定されるとき、識別情報に関連付けられた広告情報が広告表示部に表示され、判定手段によって分類結果が表示許可条件を満たさないと判定されるとき、識別情報に関連付けられた広告情報が広告表示部に表示されない。
【００２２】
識別情報が広告主に付与された後、広告主は、識別情報が含まれる広告表示要求情報のみを入力することによって、表示許可条件を満たす場合に、広告情報を広告表示端末に表示させることができる。これによって、広告記憶システムは、広告情報および分類結果を情報記憶手段の中で保護して、情報の改ざんを防止することができる。したがって、広告表示システムは、安全で客観的な分類結果に基づいて、各広告表示端末の広告情報の表示制限を確実に行うことができる。
【００２３】
また本発明によれば、前記広告表示端末と通信可能で前記表示要求情報を記憶する携帯用端末をさらに含み、広告情報および分類結果に対する電子署名が作成される。表示要求情報には、分類結果および電子署名が含まれる。携帯用端末から表示要求情報を受信すると、判定手段によって、電子署名に基づいて分類結果が改ざんされたか否かが判断され、改ざんがないと判断されたとき、分類結果について表示許可条件を満たすか否かの判定が行われ、改ざんがあると判断されたとき、広告情報が広告表示部に表示されない。
【００２４】
電子署名が作成された広告情報および分類結果が広告主に付与された後、広告主は、電子署名および分類結果が含まれる広告表示要求情報を送信することによって、表示許可条件を満たす場合に、広告情報を広告表示部に表示させることができる。広告情報および分類結果は、電子署名が作成された時点からの情報の改ざんを検知することができる。これによって、広告表示システムは、広告情報および分類結果が改ざんされることを防止し、安全で客観的な分類結果に基づいて、各広告表示端末の広告情報の表示制限を行うことができる。
【００２５】
また本発明によれば、予め定める項目には、広告情報が示す広告の視聴者の年齢に関する項目が含まれる。これによって、広告表示システムは、視聴者の年齢に関する表示許可条件を広告表示端末に設定して、広告表示端末の視聴者に相応しくない広告情報が表示されることを防止することができる。したがって、広告表示システムは、広告表示端末の設置場所などに応じて、広告表示端末を適切に管理することができる。
【００２６】
また本発明によれば、予め定める項目には、広告情報を表示させる時刻に関する項目が含まれる。これによって、広告表示システムは、広告表示端末に、広告情報の内容に応じて広告情報を表示させる時刻を設定することができる。したがって、広告表示システムは、広告表示端末の設置場所などに応じて、広告表示端末を適切に管理することができる。
【００２７】
また本発明によれば、予め定める項目には、広告情報が示す広告の分野に関する項目が含まれる。これによって、広告表示システムは、広告情報が示す広告の分野に関する表示許可条件を広告表示端末に設定して、広告表示端末の視聴者にふさわしくない広告情報が表示されることを防止することができる。したがって、広告表示システムは、広告表示端末の設置場所などに応じて、広告表示端末を適切に管理することができる。
【００２８】
また本発明によれば、表示許可記憶手段によって、広告の分野に関する項目について、広告情報の表示の許可に対する追加料金が広告主から支払われることによって表示許可条件を緩和する第２の表示許可条件が記憶される。
【００２９】
これによって、広告表示システムは、広告表示端末の所有者によって設定される表示許可条件の多様性を高めることができる。したがって、広告表示システムは、広告表示端末の所有者の意思を反映させつつ、広告情報を表示することによって得られる収益を増加させることができる。
【００３０】
また本発明によれば、広告表示方法は、コンテンツサーバと、該コンテンツサーバと通信可能に接続される複数の広告表示端末とを含む広告表示システムによって実行され、広告記憶工程と、表示許可記憶工程と、入力工程と、判定工程と、表示制御工程とを含む。広告記憶工程では、コンテンツサーバの広告記憶手段によって、広告を表す１または複数の広告情報と、広告情報を予め定める項目によって分類した分類結果とが、互いに関連付けた状態で予め記憶される。表示許可記憶工程では、広告表示端末の表示許可記憶手段によって広告表示端末の所有者または広告代理店などの広告表示端末の管理者が広告表示端末に広告情報の表示の許可を設定する表示許可条件であって、予め定める項目に基づいて定められる表示許可条件が、予め記憶される。入力工程では、広告情報の広告主によって、広告記憶工程で記憶された広告情報のうちいずれかの広告情報の表示を広告表示端末に対して要求するための表示要求情報が広告表示端末の入力手段によって入力され、判定工程では、広告表示端末の判定手段によって広告情報に関連付けて記憶された分類結果について、表示許可記憶工程で記憶された表示許可条件を満たすか否かが判定される。広告表示方法では、判定工程によって分類結果が表示許可条件を満たすと判定されるとき、広告情報が広告表示端末に表示され、判定工程によって分類結果が表示許可条件を満たさないと判定されるとき、広告情報が広告表示端末に表示されない。
【００３１】
広告表示方法では、広告情報と分類結果とを互いに関連付けて予め記憶し、広告表示端末に表示許可条件を予め設定している。これによって、広告表示方法では、広告主からの表示要求情報が入力されると、広告情報に関連付けられた分類結果が、表示許可条件を満たすか否かを、自動的に迅速に判定することができる。したがって、広告主は、任意の時刻に任意の広告表示端末に対して、表示要求情報を入力し、表示許可条件を満たす場合には、表示要求情報を入力した時点から即時に広告情報を表示させることができる。
【００３２】
また、広告表示端末の所有者は、広告表示端末に表示許可条件を設定しておくことができる。これによって、広告表示方法では、広告表示端末所有者の希望しない内容の広告が、広告表示端末に表示されることを、常時監視することなく防止することができる。
【図面の簡単な説明】
【００３３】
【図１】本発明の第１実施形態に係る広告表示装置１の構成を示すブロック図である。
【図２】データ送受信端末３の構成を示すブロック図である。
【図３】コンテンツサーバ２の構成を示すブロック図である。
【図４】サーバ記憶部２５が記憶するコンテンツ管理テーブル５２の一例を示す図である。
【図５】サーバ記憶部２５が記憶するコンテンツ審査結果データ５３の一例を示す図である。
【図６】サーバ記憶部２５が記憶する決済データ５４の一例を示す図である。
【図７】広告表示端末４の構成を示すブロック図である。
【図８】表示端末記憶部３７が記憶する表示許可設定データ５５の一例を示す図である。
【図９】広告表示装置１を用いてコンテンツデータを表示させる手順を説明するための図である。
【図１０】コンテンツデータの分類結果の一例を示す図である。
【図１１】広告表示端末４が通知する表示画面の一例を示す図である。
【図１２】データ送受信端末３からコンテンツサーバ２へコンテンツデータを送信する処理を示すフローチャートである。
【図１３】コンテンツデータの分類結果をコンテンツサーバ２に登録する処理を示すフローチャートである。
【図１４】広告代理店から広告主へコンテンツデータの分類結果を送信する処理を示すフローチャートである。
【図１５】広告表示端末４に表示許可条件を設定する処理を示すフローチャートである。
【図１６】広告表示端末４がコンテンツデータを表示する処理を示すフローチャートである。
【図１７】コンテンツサーバ２が広告表示端末４にコンテンツデータを表示させる処理を示すフローチャートである。
【図１８】本発明の第２実施形態に係る広告表示装置５の構成を示すブロック図である。
【図１９】審査処理サーバ６の構成を示すブロック図である。
【図２０】データ送受信端末３の構成を示すブロック図である。
【００３４】
【図２１】コンテンツ携帯用端末８の構成を示すブロック図である。
【図２２】広告表示端末４の構成を示すブロック図である。
【図２３】広告表示装置５を用いてコンテンツデータを表示させる手順を説明するための図である。
【図２４】データ送受信端末３から審査処理サーバ６へコンテンツデータを送信する処理を示すフローチャートである。
【図２５】コンテンツデータの分類結果を審査処理サーバ６に登録する処理を示すフローチャートである。
【図２６】広告代理店から広告主へコンテンツデータの分類結果および電子署名データを送信する処理を示すフローチャートである。
【図２７】データ送受信端末３からコンテンツ携帯用端末８へ情報を転送する処理を示すフローチャートである。
【図２８】コンテンツ携帯用端末８が広告表示端末４にコンテンツデータを表示させる処理を示すフローチャートである。
【図２９】広告表示端末４がコンテンツデータを表示する処理を示すフローチャートである。
【図３０】第１の従来技術に係る広告表示装置８１の構成を示すブロック図である。
【図３１】第２の従来技術に係る広告表示装置８６の構成を示すブロック図である。
【発明を実施するための形態】
【００３５】
（第１実施形態）
図１は、本発明の第１実施形態に係る広告表示装置１の構成を示すブロック図である。本発明の広告表示システムは、広告主からの広告情報の表示要求に応答して、広告表示端末４に広告情報を表示させる。広告情報は、広告を表す情報であり、静止画像および動画像などの映像情報と、音声情報とからなる。広告は、たとえば商品または興行物などを多くの人に知らしめるためのものである。以後の説明において、広告表示システムを「広告表示装置」といい、広告情報を「コンテンツデータ」といい、広告を「コンテンツ」という。本発明に係る広告表示方法は、広告表示装置１によって実現される。広告主がコンテンツデータの表示を要求することを「広告表示要求」といい、広告表示要求を表す情報であって、広告表示端末に対してコンテンツデータの表示を要求するための情報を「広告表示要求情報」という。
【００３６】
広告表示装置１は、コンテンツサーバ２と、複数の広告表示端末４ａ，４ｂ，４ｃ（総称する場合には、添え字ａ，ｂ，ｃを省略し、「広告表示端末４」と記す）と、データ送受信端末３とを含んで構成される。コンテンツサーバ２と広告表示端末４との間、およびコンテンツサーバ２とデータ送受信端末３との間は、たとえばインターネットなどの通信回線網によって互いに通信可能に接続され、情報の送受信を行うことが可能である。図１には、説明の便宜上、３つの広告表示端末４ａ，４ｂ，４ｃを例示的に示すが、このような構成に限られず、１以上の任意の数の広告表示端末４によって広告表示装置１を構築することができる。
【００３７】
図１には、説明の便宜上、３つの広告表示端末４を含んで構成されているけれども、このような構成に限られず、３つの広告表示端末４ａ，４ｂ，４ｃを例示的に示すが、１以上の任意の数の広告表示端末４を含めて構成させることができる。
【００３８】
広告主は、コンテンツデータを自己のデータ送受信端末３からコンテンツサーバ２へ送信する。コンテンツサーバ２は、受信したコンテンツデータを記憶して管理する。コンテンツサーバ２は、広告主によってデータ送受信端末３から広告表示要求情報を受信すると、コンテンツデータを広告表示端末４へ送信して、広告表示端末４にコンテンツデータを表示させる。
【００３９】
各広告表示端末４は、たとえば街頭や施設内に設置されたプラズマディスプレイ、液晶ディスプレイ、ＬＥＤなどを利用して、ＩＰネットワークからダウンロードした広告やプロモーション、インフォメーション映像などを流すツールである。広告表示端末４は、路面だけでなくさまざまな業種の小売店舗や、飲食店、サービス業の店舗に設置され、ネットワーク化することによって、設置場所を特定することができ、設置された場所や店舗の種類、閲覧する消費者数、消費者年代などを広告表示端末４毎に属性情報としてコンテンツサーバ２に収集し、データ送受信端末３からコンテンツサーバ２にアクセスすることが可能である。したがって、目的に合った属性を持つデジタルサイネージを選択し、時間帯や天候などを考慮して、効果が上げられると思われるタイミングで適切な広告を送信することができる。ネットワークによりリアルタイムのコンテンツをマルチキャストで配信することによって、期間を限定してプロモーション映像をたとえば駅やショッピングモールなどのデジタルサイネージ端末によって放映し、同時に配信される情報を携帯電話で受信することによって、ユーザを一番近い店舗まで誘導することも可能である。
【００４０】
図２は、データ送受信端末３の構成を示すブロック図である。データ送受信端末３は、パーソナルコンピュータなどによって実現され、広告主によって使用される。データ送受信端末３は、送受信端末中央処理装置（Central Processing Unit：以下「ＣＰＵ」という）と、送受信端末入出力部１２と、送受信端末接続部１３と、送受信端末メモリ１４と、送受信端末記憶部１５とを含んで構成される。送受信端末ＣＰＵ１１、送受信端末入出力部１２、送受信端末接続部１３、送受信端末メモリ１４、および送受信端末記憶部１５は、データバス１９によって互いに接続される。
【００４１】
送受信端末入出力部１２は、キーボード、マウス、モニタ、プリンタなどによって実現され、ユーザによる入出力操作が可能である。送受信端末接続部１３は、入出力インタフェースなどによって実現される。送受信端末入出力部１２は、通信回線網を介して、コンテンツサーバ２との間でコンテンツデータ５１などの情報の送受信を行う。送受信端末記憶部１５は、ハードディスクなどの記憶装置によって実現され、コンテンツデータ５１を記憶する。
【００４２】
送受信端末メモリ１４は、ＲＡＭ（Random Access Memory）などの半導体記憶装置によって実現され、データ送受信処理プログラム４１を記憶する。さらに送受信端末メモリ１４は、送受信端末ＣＰＵ１１がデータ送受信端末３を制御するための制御プログラムを記憶する。送受信端末ＣＰＵ１１は、送受信端末メモリ１４に記憶されるデータ送受信処理プログラム４１、および制御プログラムを呼び出して実行する。
【００４３】
図３は、コンテンツサーバ２の構成を示すブロック図である。コンテンツサーバ２は、コンピュータシステムによって実現され、たとえば広告代理店などに設置される。コンテンツサーバ２は、サーバＣＰＵ２１と、サーバ接続部２２と、サーバ入出力部２３と、サーバメモリ２４と、広告記憶手段であるサーバ記憶部２５とを含んで構成される。サーバＣＰＵ２１、サーバ入出力部２３、サーバ接続部２２、サーバメモリ２４、およびサーバ記憶部２５は、データバス１９によって互いに接続される。
【００４４】
サーバ接続部２２は、入出力インタフェースなどによって実現される。サーバ接続部２２は、広告表示端末４との間およびデータ送受信端末３との間で、通信回線網を介して、コンテンツデータなどの情報の送受信を行う。
【００４５】
サーバ入出力部２３は、キーボード、マウス、モニタ、プリンタなどによって実現され、ユーザによる入出力操作が可能である。サーバ記憶部２５は、ハードディスクなどの記憶装置によって実現され、コンテンツ管理テーブル５２、コンテンツデータ５１、コンテンツ審査結果データ５３、および決済データ５４を記憶する。
【００４６】
サーバメモリ２４は、ＲＡＭなどの半導体記憶装置によって実現され、データ送受信処理プログラム４１、コンテンツ審査結果登録処理プログラム４２、および広告料金決済処理プログラム４３を記憶する。さらにサーバメモリ２４は、サーバＣＰＵ２１がコンテンツサーバ２を制御するための制御プログラムを記憶する。
【００４７】
サーバＣＰＵ２１は、サーバメモリ２４に記憶されるデータ送受信処理プログラム４１、コンテンツ審査結果登録処理プログラム４２、広告料金決済処理プログラム４３、および制御プログラムを呼び出して実行する。
【００４８】
図４は、サーバ記憶部２５が記憶するコンテンツ管理テーブル５２の一例を示す図である。コンテンツ管理テーブル５２は、行方向の要素として、参照符５２ａで示すパスコード、参照符５２ｂで示すコンテンツデータＩＤ、参照符５２ｃで示す審査結果データＩＤ、および参照符５２ｄで示すユーザ決済情報ＩＤを含む。
【００４９】
また、コンテンツ管理テーブル５２の列方向の要素として、パスコード５２ａは、たとえば「Ｐｑａ６＆Ｆ３」、「ｄ＃＄ｄＤ６７」、「ｆ８ｔＹｄｇｄ」、「ｔｙｄ８ｓ＃ｓ」、……などの各データから成り、コンテンツデータＩＤ５２ｂは、たとえば「Ｃ００００１」、「Ｃ００００２」、「Ｃ００００３」、「Ｃ００００４」、……などの各データから成り、審査結果データＩＤ５２ｃは、たとえば「Ｒ００００１」、「Ｒ００００２」、「Ｒ００００３」、「Ｒ００００４」、……などの識別可能なデータから成り、ユーザ決済情報ＩＤ５２ｄは、たとえば「Ｕ００１」、「Ｕ００２」、「Ｕ００３」、「Ｕ００４」、……などの各データから成る。これらのパスコード５２ａ、コンテンツデータＩＤ５２ｂ、審査結果データＩＤ５２ｃおよびユーザ決済情報ＩＤ５２ｄは、行方向および列方向に互いに関連付けられている。
【００５０】
図５は、サーバ記憶部２５が記憶するコンテンツ審査結果データ５３の一例を示す図である。コンテンツ審査結果データ５３は、参照符５３ａで示す審査結果データＩＤ、参照符５３ｂで示すサービス（飲食）、参照符５３ｃで示すサービス（レジャー）、および参照符５３ｄで示す年齢制限を含む。サービス（飲食）は、飲食に関するサービス業を示し、サービス（レジャー）は、レジャーに関するサービス業を示す。
【００５１】
たとえばコンテンツ審査結果データ５３は、審査結果データＩＤ「Ｒ００００１」について、飲食に関するサービス業「該当」、レジャーに関するサービス業「非該当」、および年齢制限「Ｒ−１８」を示し、審査結果データＩＤ「Ｒ００００２」について、飲食に関するサービス業「非該当」、レジャーに関するサービス業「該当」、および年齢制限「なし」を示し、審査結果データＩＤ「Ｒ００００３」について、飲食に関するサービス業「非該当」、レジャーに関するサービス業「非該当」、および年齢制限「Ｒ−１５」を示している。
【００５２】
図６は、サーバ記憶部２５が記憶する決済データ５４の一例を示す図である。決済データ５４は、参照符５４ａで示すユーザ決済情報ＩＤ、参照符５４ｂで示す姓、参照符５４ｃで示す名、参照符５４ｄで示す生年月日、および参照符５４ｅで示す口座情報を含む。
【００５３】
たとえば決済データ５４は、ユーザ決済情報ＩＤ「Ｕ００１」についての姓、名、生年月日、および口座情報を互いに関連付け、ユーザ決済情報ＩＤ「Ｕ００２」およびＩＤ「Ｕ００３」についても同様に、それぞれ姓、名、生年月日、および口座情報を互いに関連付けている。
【００５４】
図７は、広告表示端末４の構成を示すブロック図である。広告表示端末４は、たとえば交通機関、公共施設、商業施設などに設置されるデジタルサイネージ（Digital Signage：電子看板）である。
【００５５】
広告表示端末４は、判定手段である表示端末ＣＰＵ３１と、表示端末接続部３２と、表示制御手段である映像出力部３３と、広告表示部３４と、表示端末入出力部３５と、表示端末メモリ３６と、表示許可記憶手段である表示端末記憶部３７とを含んで構成される。表示端末ＣＰＵ３１、表示端末接続部３２、映像出力部３３、表示端末入出力部３５、表示端末メモリ３６、および表示端末記憶部３７は、データバス１９によって互いに接続される。映像出力部３３と広告表示部３４とは、配線によって互いに接続される。
【００５６】
表示端末接続部３２は、入出力インタフェースなどによって実現される。表示端末接続部３２は、広告表示端末４との間およびデータ送受信端末３との間で、通信回線網を介して、コンテンツデータなどの情報の送受信を行う。
【００５７】
映像出力部３３は、広告表示部３４にコンテンツデータを出力して、広告表示部３４にコンテンツデータを表示させる。広告表示部３４は、たとえば液晶ディスプレイ、プラズマディスプレイ、有機ＥＬ（Organic Electro Luminescence）ディスプレイ、発光ダイオード、映像プロジェクタ、またはブラウン管などによって実現され、コンテンツデータを表示する。
【００５８】
表示端末入出力部３５は、キーボード、マウス、モニタ、プリンタなどによって実現され、ユーザによる入出力操作が可能である。表示端末記憶部３７は、ハードディスクなどの記憶装置によって実現され、コンテンツデータ５１、および表示許可設定データ５５を記憶する。
【００５９】
表示端末メモリ３６は、ＲＡＭなどの半導体記憶装置によって実現され、表示許可設定処理プログラム４４、データ送受信処理プログラム４１、表示指示操作処理プログラム４５、および表示許可照合処理プログラム４６を記憶する。さらに表示端末メモリ３６は、表示端末ＣＰＵ３１が広告表示端末４を制御するための制御プログラムを記憶する。
【００６０】
表示端末ＣＰＵ３１は、表示端末メモリ３６に記憶される表示許可設定処理プログラム４４、データ送受信処理プログラム４１、表示指示操作処理プログラム４５、表示許可照合処理プログラム４６、および制御プログラムを呼び出して実行する。
【００６１】
広告表示端末４は、音声再生部として図示しないスピーカを含み、コンテンツデータに含まれる音声情報を、このスピーカによって再生する構成であってもよい。これによって、広告表示端末４は、コンテンツデータの映像情報を表示することに加えて音声情報をも再生して、コンテンツの視聴者への訴求効果をさらに高めることができる。
【００６２】
図８は、表示端末記憶部３７が記憶する表示許可設定データ５５の一例を示す図である。表示許可設定データ５５は、ロケーションオーナーまたは広告代理店などの広告表示端末の管理者が、広告表示端末４にコンテンツデータを表示することが可能な状態に設定するためのものであり、予め定める項目ごとに設定される。ロケーションオーナーとは、広告表示端末４の所有者または広告表示端末４の設置場所の所有者である。表示許可設定データ５５には、コンテンツデータが示すコンテンツの分野に関する項目、コンテンツデータが示すコンテンツの視聴者の年齢に関する項目、コンテンツデータを表示させる時刻に関する項目などが含まれる。
【００６３】
表示許可設定データ５５は、参照符５５ａで示す設定項目、参照符５５ｂで示す許可フラグ、および参照符５５ｃで示す緩和条件を含む。設定項目５５ａ中の「ＰＧ−１２」は、コンテンツデータに１２歳未満の鑑賞に不適切な内容が含まれることを示し、「Ｒ−１５」は、１５歳未満の鑑賞に不適切な内容が含まれることを示し、「Ｒ−１８」は、１８歳未満の鑑賞に不適切な内容が含まれることを示す。
【００６４】
たとえば表示許可設定データ５５は、設定項目「サービス（飲食）」について、許可フラグ「禁止」および緩和条件「追加料金１００００円」を示し、設定項目「サービス（レジャー）」について、許可フラグ「許可」および緩和条件「なし」を示し、設定項目「サービス（金融）」について、許可フラグ「禁止」および緩和条件「なし」を示す。緩和条件５５ｃに含まれる「追加料金」は、コンテンツデータの表示の許可に対する追加料金であり、広告主から支払われる。広告主から広告代理店またはロケーションオーナーに追加料金が支払われることによって、許可フラグ５５ｂで禁止された設定項目が緩和される。
【００６５】
表示許可設定データ５５は、設定項目「小売（家電）」について、許可フラグ「許可」および緩和条件「なし」を示し、設定項目「小売（コンビニ）」について、許可フラグ「許可」および緩和条件「なし」を示す。
【００６６】
表示許可設定データ５５は、設定項目「商品（アルコール）」について、許可フラグ「禁止」および緩和条件「時間帯１８：００以降」を示し、設定項目「商品（タバコ）」について、許可フラグ「許可」および緩和条件「なし」を示す。
【００６７】
表示許可設定データ５５は、設定項目「ＰＧ−１２」について、許可フラグ「許可」および緩和条件「なし」を示し、設定項目「Ｒ−１５」について、許可フラグ「禁止」および緩和条件「時間帯１９：００以降」を示し、設定項目「Ｒ−１８」について、許可フラグ「禁止」および緩和条件「時間帯２１：００以降」を示す。
【００６８】
図９は、広告表示装置１を用いてコンテンツデータを表示させる手順を説明するための図である。第１手順ａ１では、広告主は、データ送受信端末３からコンテンツサーバ２へ、コンテンツデータを送信させる。広告代理店は、データ送受信端末３から送信されたコンテンツデータを、コンテンツサーバ２によって受信させる。広告代理店は、受信したコンテンツデータの内容について審査を行う。広告代理店は、コンテンツデータの内容について検討し、コンテンツの分野、年齢制限などの予め定める項目にコンテンツデータを分類する。コンテンツデータが分類されたか結果に関する情報を分類結果または審査結果と称す。この審査は、広告代理店以外に、公共性の高い何らかの機関、広告業界団体が支持する審査機関などの第三者機関などによって行われてもよい。コンテンツサーバ２には、コンテンツデータと、分類結果とが互いに関連付けて記憶される。
【００６９】
図１０は、コンテンツデータの分類結果の一例を示す図である。分類結果は、コンテンツデータを予め定める項目によって分類するものであり、前述のコンテンツ審査結果データ５３の基となる。分類結果は、参照符６１ａで示す分野、参照符６１ｂで示す内容制限、参照符６１ｃで示す著作権情報、および参照符６１ｄで示す出演者を含む。内容制限は、年齢制限および暴力的な表現を含む。
【００７０】
たとえば分類結果は、審査したコンテンツデータが、分野のうち「サービス（飲食）」に該当、「サービス（レジャー）」に非該当、「サービス（金融）」に非該当、「商品（タバコ）」に該当することを示す。
【００７１】
分類結果は、内容制限のうちの年齢制限が「Ｒ−１５」、暴力的な表現が「３」であることを示す。分類結果は、著作権情報としてコンテンツデータの権利保持者、およびコンテンツデータの出演者に関する情報を含む。
【００７２】
図９に示す第２手順ａ２では、コンテンツサーバ２は、コンテンツデータおよび分類結果に互いに関連付けられたＩＤ（Identification）であるパスコードを作成する。ＩＤは、コンテンツデータおよび分類結果を個別認識するための識別情報である。コンテンツサーバ２は、作成したパスコードをデータ送受信端末３へ送信する。データ送受信端末３は、コンテンツサーバ２から送信されたパスコードを受信する。また、広告表示端末４の設置場所の所有者であるロケーションオーナーは、各広告表示端末４に、前述の表示許可条件を予め設定しておく。
【００７３】
第３手順ａ３では、広告主は、任意の日時に、コンテンツデータを表示させたい広告表示端末４に対して、コンテンツの表示要求を行う。このコンテンツの表示要求は、広告主が広告表示端末４にパスコードを入力することによって行われる。広告表示端末４は、パスコードが入力されると、入力されたパスコードをコンテンツサーバ２へ送信する。
【００７４】
第４手順ａ４では、コンテンツサーバ２は、広告表示端末４からパスコードを受信すると、パスコードに関連付けられた分類結果を、パスコードを送信した広告表示端末４へ送信する。広告表示端末４は、分類結果を受信すると、この分類結果について表示許可条件を満たすか否かを判定する。
【００７５】
広告表示端末４は、分類結果が表示許可条件を満たすと判定したとき、コンテンツサーバ２に対して、コンテンツデータの送信を要求する。コンテンツサーバ２は、コンテンツデータを広告表示端末４へ送信する。広告表示端末４は、受信したコンテンツデータを、予め定める時間表示させる。広告表示装置１は、広告主から広告表示要求情報を受信した時点から、たとえば数秒など即時にコンテンツを広告表示端末４に表示させることができる。広告表示端末４は、分類結果が表示許可条件を満たさないと判定したとき、広告主に対して、判定結果を通知する。
【００７６】
また、広告表示装置１は、広告表示端末４にコンテンツを表示中に、他の広告主から広告表示要求情報を受信した場合、（１）広告表示部３４の表示領域を分割して、複数のコンテンツデータを表示させる、または（２）現在表示中のコンテンツデータの表示終了時刻を他の広告主に通知し、この表示終了時刻以後にコンテンツデータを表示させることを確認するなどの処理を行ってもよい。
【００７７】
図１１は、広告表示端末４が通知する表示画面の一例を示す図である。たとえば広告表示端末４は、参照符６２で示す「この時間帯は表示できません。」、参照符６３で示す「この分野［飲食店］の表示には追加料金１００００円が必要です。表示しますか？」などの情報を広告主に通知する。
【００７８】
図９に示す第５手順ａ５では、コンテンツサーバ２は、コンテンツデータの広告主に対して、広告料金の決済処理を行う。この決済処理は、広告主から前払いによって予め支払われた金額から広告料金を減算すること、または広告主の口座から広告料金を引き落とすことなどによって行われる。
【００７９】
図１２は、データ送受信端末３からコンテンツサーバ２へコンテンツデータを送信する処理を示すフローチャートである。ステップｂ１からｂ７、および後に説明する図１３のステップｃ１〜ｃ３は、広告記憶工程である。広告主が、コンテンツデータを表示させるために、コンテンツデータの審査を受けるとき、ステップｂ０に進んで処理が開始される。
【００８０】
ステップｂ１では、ユーザである広告主は、データ送受信端末３に対して、データ送受信端末３とコンテンツサーバ２との間での通信接続を指示する。この指示は、広告主が送受信端末入出力部１２に入力操作することによって行われる。
【００８１】
ステップｂ２では、データ送受信端末３は、広告代理店側のコンテンツサーバ２に、通信接続を要求する。ステップｂ３では、コンテンツサーバ２は、データ送受信端末３との間の通信接続を認証する。
【００８２】
ステップｂ４では、データ送受信端末３は、送受信端末記憶に記憶されているコンテンツデータを、コンテンツサーバ２に送信する。ステップｂ５では、コンテンツサーバ２は、データ送受信端末３から送信されたコンテンツデータを受信する。さらにコンテンツサーバ２は、受信したコンテンツデータを、サーバ記憶部２５に記憶する。
【００８３】
ステップｂ６では、データ送受信端末３は、コンテンツサーバ２との間の通信接続を切断する。ステップｂ７では、コンテンツサーバ２は、データ送受信端末３との間の通信接続を切断して、ステップｂ８に進んで処理が終了する。
【００８４】
図１３は、コンテンツデータの分類結果をコンテンツサーバ２に登録する処理を示すフローチャートである。コンテンツデータが広告代理店または第三者機関によって審査された後、広告代理店が、コンテンツデータの分類結果を登録するときに、ステップｃ０に進んで処理が開始される。
【００８５】
ステップｃ１では、広告代理店は、サーバ入出力部２３への入力操作によって、コンテンツサーバ２に分類結果登録画面を起動させる。ステップｃ２では、広告代理店は、サーバ入出力部２３への操作によって、分類結果をコンテンツサーバ２に入力する。
【００８６】
ステップｃ３では、コンテンツサーバ２は、入力された分類結果をサーバ記憶部２５に記憶する。ステップｃ４では、コンテンツサーバ２は、一意の識別用のパスコードを生成する。ステップｃ５では、コンテンツサーバ２は、サーバ記憶部２５に記憶されるコンテンツ管理テーブルを更新して、ステップｃ６に進んで処理が終了する。
【００８７】
図１４は、広告代理店から広告主へコンテンツデータの分類結果を送信する処理を示すフローチャートである。広告代理店が、コンテンツデータの分類結果を広告主に送信するときに、ステップｄ０に進んで処理が開始される。
【００８８】
ステップｄ１では、広告代理店は、コンテンツサーバ２に対して、コンテンツサーバ２とデータ送受信端末３との間での通信接続を指示する。この指示は、広告代理店がサーバ入出力部２３に入力操作することによって行われる。
【００８９】
ステップｄ２では、コンテンツサーバ２は、データ送受信端末３との間で通信接続が行われると、データ送受信端末３へ分類結果を送信する。ステップｄ３では、データ送受信端末３は、コンテンツサーバ２から送信された分類結果を、受信する。
【００９０】
ステップｄ４では、コンテンツサーバ２は、データ送受信端末３との間の通信接続を切断する。ステップｄ５では、データ送受信端末３は、コンテンツサーバ２との間の通信接続を切断して、ステップｄ６に進んで処理が終了する。
【００９１】
図１５は、広告表示端末４に表示許可条件を設定する処理を示すフローチャートである。ステップｅ１〜ｅ３は、表示許可記憶工程である。オーナーが、広告表示端末４に表示許可条件を設定するときに、ステップｅ０に進んで処理が開始される。
【００９２】
ステップｅ１では、オーナーは、広告表示端末４入出力部への入力操作によって、広告表示端末４に表示許可設定画面を起動させる。ステップｅ２では、オーナーは、広告表示端末４入出力部への入力操作によって、表示許可条件を設定する。ステップｅ３では、広告表示端末４は、入力操作によって設定された表示許可条件を、表示端末記憶部３７に記憶して、ステップｅ４に進んで処理が終了する。
【００９３】
図１６は、広告表示端末４がコンテンツデータを表示する処理を示すフローチャートである。広告主が、広告表示端末４にコンテンツデータの表示を希望すると、ステップｆ０に進んで処理が開始される。
【００９４】
ステップｆ１では、広告主は、特定の広告表示端末４に対して、コンテンツデータの表示要求を行う。この表示要求は、広告主が広告表示端末４にパスコードを入力することによって行われる。ステップｆ２では、広告表示端末４は、広告主からパスコードが入力されると、入力されたパスコードを、コンテンツサーバ２へ送信する。
【００９５】
ステップｆ３では、コンテンツサーバ２より、パスコードの検索結果を受信し、その結果、コンテンツデータが存在しない場合、ステップｆ４に進み、コンテンツデータが存在する場合、ステップｆ５に進む。
【００９６】
ステップｆ４では、広告表示端末４は、コンテンツデータを表示できない旨を、ユーザである広告主に通知し、ステップｆ１６に進んで処理が終了する。ステップｆ５では、広告表示端末４は、パスコードに関連付けられた分類結果を、コンテンツサーバ２から取得する。
【００９７】
ステップｆ６では、広告表示端末４は、取得した分類結果と、広告表示端末４に予め設定されている表示許可条件とを比較する。ステップｆ６〜ｆ９は、判定工程である。ステップｆ７では、広告表示端末４は、分類結果が表示許可条件を満たすか否かを判定する。広告表示端末４によって、分類結果が表示許可条件を満たさないと判定された場合、ステップｆ８に進み、分類結果が表示許可条件を満たすと判定された場合、ステップｆ１４に進む。
【００９８】
ステップｆ８では、広告表示端末４は、緩和条件を適用して、分類結果と表示許可条件とを比較する。ステップｆ９では、広告表示端末４は、緩和条件を適用して、分類結果が表示許可条件を満たすか否かを判定する。広告表示端末４によって、緩和条件を適用すると分類結果が表示許可条件を満たすと判定された場合、ステップｆ１０に進み、緩和条件を適用しても分類結果が表示許可条件を満さないと判定された場合、ステップｆ１２に進む。
【００９９】
ステップｆ１０では、広告表示端末４は、ユーザである広告主に緩和条件を通知する。ステップｆ１１では、ユーザである広告主は、広告表示端末４から通知された緩和条件を視認して、追加料金を確認する。広告主は、追加料金の支払いを許容するか否かを、広告表示端末４に入力する。広告主によって、追加料金の支払いを拒否すると判断された場合、ステップｆ１２に進み、追加料金の支払いを許容すると判断された場合、ステップｆ１３に進む。
【０１００】
ステップｆ１２では、広告表示端末４は、コンテンツデータを表示できない旨を、ユーザである広告主に通知し、ステップｆ１６に進んで処理が終了する。ステップｆ１３では、広告表示端末４は、広告主が追加料金の支払いを許容したことを、コンテンツサーバ２へ送信する。
【０１０１】
ステップｆ１４では、広告表示端末４は、コンテンツサーバ２からコンテンツデータを受信する。ステップｆ１４，ｆ１５は、表示制御工程である。ステップｆ１５では、広告表示端末４は、予め定める時間、コンテンツデータを表示部に表示させて、ステップｆ１６に進んで処理が終了する。
【０１０２】
図１７は、コンテンツサーバ２が広告表示端末４にコンテンツデータを表示させる処理を示すフローチャートである。コンテンツサーバ２が、広告表示端末４からパスコードを受信可能な状態になると、ステップｇ０に進んで処理が開始される。
【０１０３】
ステップｇ１では、コンテンツサーバ２は、広告表示端末４からパスコードを受信する。ステップｇ２では、コンテンツサーバ２は、受信したパスコードを、サーバ記憶部２５に記憶しているコンテンツ管理テーブルから検索する。
【０１０４】
ステップｇ３では、コンテンツサーバ２は、コンテンツ管理テーブルの中に、パスコードが存在するか否かを判定する。コンテンツサーバ２によって、パスコードが存在しないと判定された場合、ステップｇ４に進み、パスコードが存在すると判定された場合、ステップｇ５に進む。
【０１０５】
ステップｇ４では、コンテンツサーバ２は、パスコードがコンテンツ管理テーブル中に存在しないことを示す検索結果を、広告表示端末４に送信し、ステップｇ１４に進んで処理が終了する。これによって、広告表示端末４は、ステップｇ１においてコンテンツサーバ２へ送信したパスコードに関連付けられているコンテンツデータが、サーバ記憶部２５に記憶されていないことを、確認することができる。
【０１０６】
ステップｇ５では、コンテンツサーバ２は、パスコードがコンテンツ管理テーブル中に存在することを示す検索結果を、広告表示端末４に送信する。これによって、広告表示端末４は、ステップｇ１においてコンテンツサーバ２へ送信したパスコードに関連付けられているコンテンツデータが、サーバ記憶部２５に記憶されていることを、確認することができる。
【０１０７】
ステップｇ６では、コンテンツサーバ２は、コンテンツ管理テーブルからパスコードに関連付けられている分類結果を検索する。ステップｇ７では、コンテンツサーバ２は、サーバ記憶部２５によってパスコードに関連付けられて記憶されている審査結果を、広告表示端末４へ送信する。
【０１０８】
ステップｇ８では、コンテンツサーバ２は、追加料金が発生したか否かを判定する。コンテンツサーバ２は、前述した図１６のステップｆ１３における広告表示端末４の処理によって、広告主が追加料金の支払いを許容したか否かを確認することができる。コンテンツサーバ２によって、追加料金が発生したと判定された場合、ステップｇ９に進み、追加料金が発生していないと判定された場合、ステップｇ１０に進む。
【０１０９】
ステップｇ９では、コンテンツサーバ２は、広告表示端末４にコンテンツデータを表示させるのに必要な基本料金に、追加料金を加算して広告料金を算出する。ステップｇ１０では、コンテンツサーバ２は、広告表示端末４から、コンテンツデータの取得要求が行われたか否かを判定する。コンテンツサーバ２によって、コンテンツデータの取得要求が行われたと判定された場合、ステップｇ１１に進み、コンテンツデータの取得要求が行われなかった判定された場合、ステップｇ１４に進んで処理が終了する。
【０１１０】
ステップｇ１１では、コンテンツサーバ２は、コンテンツデータを広告表示端末４へ送信する。ステップｇ１２では、コンテンツサーバ２は、送信したコンテンツの広告主を、コンテンツ管理テーブルから検索する。
【０１１１】
ステップｇ１３では、コンテンツサーバ２は、検索された広告主に対して、広告料金の決済処理を行って、ステップｇ１４に進んで処理が終了する。この決済処理は、広告主から前払いによって予め支払われた金額から広告料金を減算すること、または広告主の口座から広告料金を引き落とすことなどによって行われる。
【０１１２】
（第２実施形態）
図１８は、本発明の第２実施形態に係る広告表示装置５の構成を示すブロック図である。本実施形態において、前述の第１実施形態と同様の構成には、同一の参照符を付し、重複を避けるために説明を省略する。広告表示装置５は、審査処理サーバ６と、広告表示端末４ａ，４ｂ，４ｃと、データ送受信端末３と、コンテンツ携帯用端末８とを含んで構成される。
【０１１３】
審査処理サーバ６と広告表示端末４との間は、たとえばインターネットなどの通信回線網によって互いに接続され、情報の送受信を行うことが可能である。データ送受信端末３とコンテンツ携帯用端末８との間、およびコンテンツ携帯用端末８と広告表示端末４との間は、有線または無線による通信によって、互いに情報の送受信を行うことが可能である。図１８には、説明の便宜上、３つの広告表示端末４ａ，４ｂ，４ｃを例示的に示すが、このような構成に限られず、１以上の任意の数の広告表示端末４によって広告表示装置５を構築することができる。
【０１１４】
図１９は、審査処理サーバ６の構成を示すブロック図である。審査処理サーバ６は、コンピュータシステムによって実現され、たとえば広告代理店などに設置される。審査処理サーバ６は、サーバＣＰＵ２１と、サーバ接続部２２と、サーバ入出力部２３と、サーバメモリ２４と、サーバ記憶部２５とを含んで構成される。
【０１１５】
サーバ記憶部２５は、コンテンツデータ５１、コンテンツ審査結果データ５３、および電子署名データ５６を、互いに関連付けた状態で記憶する。サーバメモリ２４は、データ送受信処理プログラム４１、コンテンツ審査結果登録処理プログラム４２、および電子署名処理プログラム４７を記憶する。
【０１１６】
図２０は、データ送受信端末３の構成を示すブロック図である。データ送受信端末３は、送受信端末ＣＰＵ１１と、送受信端末入出力部１２と、送受信端末接続部１３と、送受信端末メモリ１４と、送受信端末記憶部１５とを含んで構成される。送受信端末記憶部１５は、コンテンツデータ５１、コンテンツ審査結果データ５３、および電子署名データ５６を、互いに関連付けた状態で記憶する。
【０１１７】
図２１は、コンテンツ携帯用端末８の構成を示すブロック図である。コンテンツ携帯用端末８は、携帯用端末ＣＰＵ７１と、携帯用端末入出力部７２と、携帯用端末送受信部７３と、携帯用端末メモリ７４と、広告記憶手段である携帯用端末記憶部７５とを含んで構成される。携帯用端末ＣＰＵ７１、携帯用端末入出力部７２、携帯用端末送受信部７３、携帯用端末メモリ７４、および携帯用端末記憶部７５は、データバス１９によって互いに接続される。
【０１１８】
携帯用端末入出力部７２は、キーボード、マウス、モニタ、プリンタなどによって実現され、ユーザによる入出力操作が可能である。携帯用端末送受信部７３は、入出力インタフェースなどによって実現される。携帯用端末送受信部７３は、有線または無線による通信によって、データ送受信端末３との間、および広告表示端末４との間で、コンテンツデータ、コンテンツ審査結果データ、および電子署名データなどの情報の送受信を行う。
【０１１９】
携帯用端末記憶部７５は、ハードディスク、ＲＡＭなどの記憶装置によって実現され、コンテンツデータ５１、コンテンツ審査結果データ５３、電子署名データ５６、および電子ウォレットデータ５７を互いに関連付けた状態で記憶する。
【０１２０】
携帯用端末メモリ７４は、ＲＡＭなどの半導体記憶装置によって実現され、データ送受信処理プログラム４１、表示指示操作処理プログラム４５、および広告料金決済処理プログラム４３を記憶する。さらに送受信端末メモリ１４は、送受信端末ＣＰＵ１１がコンテンツ携帯用端末８を制御するための制御プログラムを記憶する。
【０１２１】
携帯用端末ＣＰＵ７１は、携帯用端末メモリ７４に記憶されるデータ送受信処理プログラム４１、表示指示操作処理プログラム４５、広告料金決済処理プログラム４３、および制御プログラムを呼び出して実行する。
【０１２２】
図２２は、広告表示端末４の構成を示すブロック図である。広告表示端末４は、表示端末ＣＰＵ３１と、表示端末送受信部７９と、映像出力部３３と、広告表示部３４と、表示端末入出力部３５と、表示端末メモリ３６と、表示端末記憶部３７とを含んで構成される。本実施形態の広告表示端末４は、第１実施形態の広告表示端末４の表示端末接続部３２を含まない構成である。したがって、広告表示端末４は、審査処理サーバ６との間の通信を行わない。
【０１２３】
表示端末送受信部７９は、コンテンツ携帯用端末８との間で、無線または有線によって通信を行い、コンテンツデータ、コンテンツ審査結果データ、および電子署名データなどの情報を送受信する。
【０１２４】
図２３は、広告表示装置５がコンテンツデータを表示させる手順を説明するための図である。第１手順ｈ１では、広告主は、データ送受信端末３から審査処理サーバ６へ、コンテンツデータを送信させる。広告代理店は、データ送受信端末３から送信されたコンテンツデータを、審査処理サーバ６によって受信させる。
【０１２５】
広告代理店は、受信したコンテンツデータの内容について審査を行う。広告代理店は、コンテンツデータの内容について検討し、コンテンツの分野、年齢制限などの予め定める項目にコンテンツデータを分類する。この審査は、広告代理店以外に、公共性の高い第三者機関などによって行われてもよい。
【０１２６】
広告代理店は、分類結果に対して、改ざんを検知するための電子署名を生成する。審査処理サーバ６には、コンテンツデータ、分類結果、および電子署名データが互いに関連付けられた状態で記憶される。
【０１２７】
第２手順ｈ２では、審査処理サーバ６は、分類結果および電子署名データを、データ送受信端末３へ送信する。データ送受信端末３は、審査処理サーバ６から送信された分類結果および電子署名データを受信する。データ送受信端末３には、コンテンツデータ、分類結果、および電子署名データが互いに関連付けられた状態で記憶される。また、広告表示端末４の設置場所の所有者であるロケーションオーナーは、各広告表示端末４に、前述の表示許可条件を設定しておく。
【０１２８】
第３手順ｈ３では、広告主は、データ送受信端末３に記憶されるコンテンツデータ、分類結果、および電子署名データを、コンテンツ携帯用端末８に転送する。コンテンツ携帯用端末８には、コンテンツデータ、分類結果、および電子署名データが互いに関連付けられた状態で記憶される。
【０１２９】
第４手順ｈ４では、広告主は、任意の日時に、コンテンツデータを表示させたい広告表示端末４に対して、コンテンツデータの表示要求を行う。このコンテンツデータの表示要求は、広告主が、コンテンツ携帯用端末８から広告表示端末４へ、分類結果および電子署名データを送信することによって行われる。
【０１３０】
広告表示端末４は、分類結果および電子署名データを受信すると、電子署名データによって分類結果が改ざんされていないことを確認する。広告表示端末４は、分類結果が改ざんされていない場合、分類結果が表示許可条件を満たすか否かを判定する。広告表示端末４によって分類結果が表示許可条件を満たすと判定されたとき、コンテンツ携帯用端末８は、コンテンツデータを広告表示端末４に送信する。広告表示端末４は、受信したコンテンツデータを、予め定める時間表示させる。
【０１３１】
分類結果が表示許可条件を満たさないと判定されたとき、広告表示端末４は、広告主に対して、判定結果を送信する。コンテンツ携帯用端末８は、判定結果を受信すると、前述の図１１に示した表示などを、広告主に伝える。
【０１３２】
また、コンテンツ携帯用端末８は、コンテンツデータが表示される場合、広告料金の決済処理を行う。この決済処理は、たとえば電子ウォレットによって、事前にチャージされた料金から広告料金を減算処理することなどによって行われる。
【０１３３】
図２４は、データ送受信端末３から審査処理サーバ６へコンテンツデータを送信する処理を示すフローチャートである。ステップｉ１〜ｉ７、および後に説明する図２５のステップｊ１〜ｊ３は、広告記憶工程である。広告主が、コンテンツデータを表示させるために、コンテンツデータの審査を受けるとき、ステップｉ０に進んで処理が開始される。
【０１３４】
ステップｉ１では、ユーザである広告主は、データ送受信端末３に対して、データ送受信端末３と審査処理サーバ６との間での通信接続を指示する。この指示は、広告主が送受信端末入出力部１２に入力操作することによって行われる。
【０１３５】
ステップｉ２では、データ送受信端末３は、広告代理店側の審査処理サーバ６に、通信接続を要求する。ステップｉ３では、審査処理サーバ６は、データ送受信端末３との間の通信接続を認証する。
【０１３６】
ステップｉ４では、データ送受信端末３は、送受信端末記憶に記憶されているコンテンツデータを、審査処理サーバ６に送信する。ステップｉ５では、審査処理サーバ６は、データ送受信端末３から送信されたコンテンツデータを受信する。さらに審査処理サーバ６は、受信したコンテンツデータを、サーバ記憶部２５に記憶する。
【０１３７】
ステップｉ６では、データ送受信端末３は、審査処理サーバ６との間の通信接続を切断する。ステップｉ７では、審査処理サーバ６は、データ送受信端末３との間の通信接続を切断して、ステップｉ８に進んで処理が終了する。
【０１３８】
図２５は、コンテンツデータの分類結果を審査処理サーバ６に登録する処理を示すフローチャートである。コンテンツデータが広告代理店または第三者機関によって審査された後、広告代理店が、コンテンツデータの分類結果を登録するときに、ステップｊ０に進んで処理が開始される。
【０１３９】
ステップｊ１では、広告代理店は、サーバ入出力部２３への入力操作によって、審査処理サーバ６に分類結果登録画面を起動させる。ステップｊ２では、広告代理店は、サーバ入出力部２３への操作によって、分類結果を審査処理サーバ６に入力する。
【０１４０】
ステップｊ３では、審査処理サーバ６は、入力された分類結果を、コンテンツデータに関連付けた状態でサーバ記憶部２５に記憶する。ステップｊ４では、審査処理サーバ６は、分類結果に対して電子署名を生成する。
【０１４１】
ステップｊ５では、審査処理サーバ６は、生成した電子署名データを、電子署名データおよびコンテンツデータに関連付けた状態でサーバ記憶部２５に記憶して、ステップｊ６に進んで処理が終了する。
【０１４２】
図２６は、広告代理店から広告主へコンテンツデータの分類結果および電子署名データを送信する処理を示すフローチャートである。広告代理店が、コンテンツデータの分類結果および電子署名データを広告主に送信するときに、ステップｋ０に進んで処理が開始される。
【０１４３】
ステップｋ１では、広告代理店は、審査処理サーバ６に対して、審査処理サーバ６とデータ送受信端末３との間での通信接続を指示する。この指示は、広告代理店がサーバ入出力部２３に入力操作することによって行われる。
【０１４４】
ステップｋ２では、審査処理サーバ６は、データ送受信端末３との間で通信接続が行われると、データ送受信端末３へ分類結果および電子署名データを送信する。ステップｋ３では、データ送受信端末３は、審査処理サーバ６から送信された分類結果および電子署名データを、受信する。
【０１４５】
ステップｋ４では、審査処理サーバ６は、データ送受信端末３との間の通信接続を切断する。ステップｋ５では、データ送受信端末３は、審査処理サーバ６との間の通信接続を切断して、ステップｋ６に進んで処理が終了する。
【０１４６】
図２７は、データ送受信端末３からコンテンツ携帯用端末８へ情報を転送する処理を示すフローチャートである。広告主が、データ送受信端末３からコンテンツ携帯用端末８へ、コンテンツデータ、分類結果および電子署名データを転送するときに、ステップｌ０に進んで処理が開始される。
【０１４７】
ステップｌ１では、データ送受信端末３とコンテンツ携帯用端末８とは、互いに通信接続を開始する。ステップｌ２では、データ送受信端末３は、コンテンツデータ、分類結果および電子署名データを、コンテンツ携帯用端末８へ送信する。
【０１４８】
ステップｌ３では、データ送受信端末３は、コンテンツ携帯用端末８からコンテンツデータ、分類結果および電子署名データを受信する。ステップｌ４では、データ送受信端末３は、通信接続を切断する。ステップｌ５では、コンテンツ携帯用端末８は、通信接続を切断して、ステップｌ６に進んで処理が終了する。
【０１４９】
図２８は、コンテンツ携帯用端末８が広告表示端末４にコンテンツデータを表示させる処理を示すフローチャートである。広告表示端末４が、コンテンツ携帯用端末８から情報を受信可能な状態になると、ステップｍ０に進んで処理が開始される。
【０１５０】
ステップｍ１では、広告主は、特定の広告表示端末４に対して、コンテンツデータの表示要求を行う。この表示要求は、広告主がコンテンツ携帯用端末８から広告表示端末４へ、表示要求の対象となるコンテンツデータの分類結果および電子署名データを送信することによって行われる。
【０１５１】
ステップｍ２では、コンテンツ携帯用端末８は、広告表示端末４からコンテンツデータの表示を許可するか否かに関する情報を受信する。コンテンツ携帯用端末８は、表示を許可するか否かに関する情報に基づいて、コンテンツデータを表示可能か否かについて判定する。コンテンツ携帯用端末８によって、コンテンツデータを表示可能でないと判定された場合、ステップｍ３に進み、コンテンツデータを表示可能であると判定された場合、ステップｍ８に進む。
【０１５２】
ステップｍ３では、コンテンツ携帯用端末８は、追加料金を支払うことによってコンテンツデータを表示することができるか否かを判定する。この判定は、広告表示端末４から受信した、コンテンツデータの表示を許可するか否かに関する情報に基づいて判定される。コンテンツ携帯用端末８によって、追加料金の支払いによってコンテンツデータを表示できない判定された場合、ステップｍ４に進み、追加料金の支払いによってコンテンツデータを表示可能であると判定された場合、ステップｍ５に進む。
【０１５３】
ステップｍ４では、コンテンツ携帯用端末８は、コンテンツデータの表示が不可であることを、ユーザである広告主に通知し、ステップｍ１３に進んで処理が終了する。ステップｍ５では、コンテンツ携帯用端末８は、コンテンツデータを表示させるための条件を、ユーザである広告主に通知する。
【０１５４】
ステップｍ６では、ユーザである広告主は、コンテンツデータを表示させるための条件を確認し、追加料金の支払いを許容するか否かを判断する。広告主によって、追加料金の支払いが許容された場合、ステップｍ７に進み、追加料金の支払いが拒否された場合、ステップｍ１３に進んで処理が終了する。
【０１５５】
ステップｍ７では、コンテンツ携帯用端末８は、広告表示端末４にコンテンツデータを表示させるのに必要な基本料金に、追加料金を加算して広告料金を算出する。ステップｍ８では、コンテンツ携帯用端末８は、広告表示端末４にコンテンツデータの表示を指示する。ステップｍ９では、コンテンツ携帯用端末８は、広告表示端末４へコンテンツデータを送信する。
【０１５６】
ステップｍ１０では、広告表示端末４は、コンテンツデータを受信すると、ステップｍ１でコンテンツ携帯用端末８から送信された電子署名データによって、コンテンツデータが改ざんされているか否かを確認する。広告表示端末４は、コンテンツデータが改ざんされていないときに表示を許可し、コンテンツデータが改ざんされているときに表示を許可しない。広告表示端末４は、コンテンツデータの表示の許可に関する情報を、コンテンツ携帯用端末８に送信する。
【０１５７】
コンテンツ携帯用端末８は、コンテンツデータの表示の許可に関する情報を受信すると、コンテンツデータの表示が許可されたか否かを判定する。コンテンツ携帯用端末８によって、コンテンツデータの表示が許可されたと判定した場合、ステップｍ１１に進み、コンテンツデータの表示が拒否されたと判定した場合、ステップｍ１２に進む。
【０１５８】
ステップｍ１１では、コンテンツ携帯用端末８は、広告料金の決済処理を行い、ステップｍ１３に進んで処理が終了する。この決済処理は、電子ウォレットによる広告料金の引き落としなどによって行われる。ステップｍ１２では、コンテンツ携帯用端末８は、コンテンツデータを表示できないことを、ユーザである広告主に通知し、ステップｍ１３に進んで処理が終了する。
【０１５９】
図２９は、広告表示端末４がコンテンツデータを表示する処理を示すフローチャートである。広告表示端末４が、コンテンツ携帯用端末８から情報を受信可能な状態になると、ステップｎ０に進んで処理が開始される。
【０１６０】
ステップｎ１では、広告表示端末４は、コンテンツ携帯用端末８から分類結果データと、電子署名データとを受信する。ステップｎ２では、広告表示端末４は、電子署名データによって分類結果データの改ざんを確認する。広告表示端末４によって、分類結果データが改ざんされていないと判定された場合、ステップｎ３に進み、分類結果データが改ざんされていると判定された場合、ステップｎ８に進む。
【０１６１】
ステップｎ３では、広告表示端末４は、広告表示端末４に予め設定された表示許可条件と、分類結果とを比較する。ステップｎ３〜ｎ７は、判定工程である。ステップｎ４では、広告表示端末４は、分類結果が表示許可条件を満たすか否かを判定する。広告表示端末４によって、分類結果が表示許可条件を満たすと判定された場合、ステップｎ５に進み、分類結果が表示許可条件を満たさないと判定された場合、ステップｎ６に進む。
【０１６２】
ステップｎ５では、広告表示端末４は、コンテンツデータの表示許可を、コンテンツ携帯用端末８へ送信して、ステップｎ１０に進む。ステップｎ６では、広告表示端末４は、緩和条件を適用して、分類結果と表示許可条件とを比較する。
【０１６３】
ステップｎ７では、広告表示端末４は、緩和条件を適用して、分類結果が表示許可条件を満たすか否かを判定する。広告表示端末４によって、緩和条件を適用しても分類結果が表示許可条件を満さないと判定された場合、ステップｎ８に進み、緩和条件を適用すると分類結果が表示許可条件を満たすと判定された場合、ステップｎ９に進む。
【０１６４】
ステップｎ８では、広告表示端末４は、コンテンツデータの表示不可を、コンテンツ携帯用端末８へ送信して、ステップｎ１６に進んで処理が終了する。ステップｎ９では、広告表示端末４は、コンテンツ携帯用端末８へ緩和条件を送信する。
【０１６５】
ステップｎ１０では、広告表示端末４は、コンテンツ携帯用端末８からコンテンツデータの表示指示があるか否かを判定する。広告表示端末４によって、コンテンツデータの表示指示があると判定された場合、ステップｎ１１に進み、コンテンツデータの表示指示がないと判定された場合、ステップｎ１６に進んで処理が終了する。ステップｎ１１では、広告表示端末４は、コンテンツ携帯用端末８からコンテンツデータを受信する。
【０１６６】
ステップｎ１２では、広告表示端末４は、受信したコンテンツデータと、ステップｎ１において受信した電子署名とを比較して、コンテンツデータが改ざんされているか否かを判定する。広告表示端末４によって、コンテンツデータが改ざんされていると判定された場合、ステップｎ１３に進み、コンテンツデータが改ざんされていないと判定された場合、ステップｎ１４に進む。
【０１６７】
ステップｎ１３では、広告表示端末４は、コンテンツデータの表示不可を、コンテンツ携帯用端末８へ送信し、ステップｎ１６に進んで処理が終了する。ステップｎ１４では、広告表示端末４は、コンテンツデータの表示許可を、コンテンツ携帯用端末８へ送信する。表示制御工程であるステップｎ１５では、広告表示端末４は、予め定める時間、コンテンツデータを表示部に表示させて、ステップｆ１６に進んで処理が終了する。
【０１６８】
このように、広告表示装置１，５は、広告記憶手段であるサーバ記憶部２５および携帯用端末記憶部７５と、表示許可記憶手段である表示端末記憶部３７と、判定手段である表示端末ＣＰＵ３１と、表示制御手段である映像出力部３３とを含んで構成される。広告記憶手段によって、広告を表す１または複数のコンテンツデータと、コンテンツデータを予め定める項目によって分類した分類結果とが、互いに関連付けた状態で記憶される。表示許可記憶手段によって、予め定める項目に基づいて定められる表示許可条件が、予め記憶される。表示許可条件は、広告表示端末４の所有者または広告代理店などの広告表示端末４の管理者が、広告表示端末４にコンテンツデータを表示することが可能な状態に設定するためのものである。広告情報の広告主によって、広告記憶手段に記憶されたコンテンツデータのうちいずれかのコンテンツデータの表示を広告表示端末４に対して要求するための表示要求情報を受信すると、判定手段によって、コンテンツデータに関連付けて記憶された分類結果について、表示許可記憶手段に記憶された表示許可条件を満たすか否かが判定される。表示制御手段によって、判定手段によって分類結果が表示許可条件を満たすと判定されるとき、コンテンツデータが広告表示端末４に表示され、判定手段によって分類結果が表示許可条件を満たさないと判定されるとき、コンテンツデータが広告表示端末４に表示されない。
【０１６９】
また、広告表示装置１，５は、コンテンツデータと分類結果とを互いに関連付けて予め記憶し、広告表示端末４に表示許可条件を予め設定している。これによって、広告表示装置１，５は、広告主からの表示要求情報を受信すると、コンテンツデータに関連付けられた分類結果が、表示許可条件を満たすか否かを、自動的に迅速に判定することができる。したがって、広告主は、任意の時刻に任意の広告表示端末４に対して、表示要求情報を送信し、表示許可条件を満たす場合には、表示要求情報を送信した時点から即時にコンテンツデータを表示させることができる。
【０１７０】
また、広告表示端末４の所有者は、広告表示端末４に表示許可条件を設定しておくことができる。これによって、広告表示装置１，５は、広告表示端末４所有者の希望しない内容の広告が、広告表示端末４に表示されることを、常時監視することなく防止することができる。
【０１７１】
さらに、各コンテンツデータおよび各分類結果に、互いに関連付けられた識別情報が作成される。表示要求情報には、識別情報が含まれる。識別情報が含まれる表示要求情報を受信すると、判定手段によって、受信した識別情報に予め関連付けられた分類結果について、表示許可記憶手段に記憶された表示許可条件を満たすか否かが判定される。表示制御手段によって、判定手段によって分類結果が表示許可条件を満たすと判定されるとき、識別情報に関連付けられたコンテンツデータが広告表示端末４に表示され、判定手段によって分類結果が表示許可条件を満たさないと判定されるとき、識別情報に関連付けられたコンテンツデータが広告表示端末４に表示されない。
【０１７２】
識別情報が広告主に付与された後、広告主は、識別情報が含まれる広告表示要求情報のみを送信することによって、表示許可条件を満たす場合に、コンテンツデータを広告表示端末４に表示させることができる。これによって、広告記憶装置は、コンテンツデータおよび分類結果を情報記憶手段の中で保護して、情報の改ざんを防止することができる。したがって、広告表示装置１，５は、安全で客観的な分類結果に基づいて、各再生表示端末のコンテンツデータの表示制限を確実に行うことができる。
【０１７３】
さらに、コンテンツデータおよび分類結果には、電子署名が作成される。表示要求情報には、コンテンツデータ、分類結果および電子署名が含まれる。表示要求情報を受信すると、判定手段によって、電子署名に基づいて分類結果が改ざんされたか否かが判断され、改ざんがないと判断されたとき、分類結果について表示許可条件を満たすか否かの判定が行われ、改ざんがあると判断されたとき、コンテンツデータが広告表示端末４に表示されない。
【０１７４】
電子署名が行われたコンテンツデータおよび分類結果が広告主に付与された後、広告主は、電子署名が行われたコンテンツデータおよび分類結果が含まれる広告表示要求情報を送信することによって、表示許可条件を満たす場合に、コンテンツデータを広告表示端末４に表示させることができる。コンテンツデータおよび分類結果は、電子署名が行われた時点からの情報の改ざんを検知することができる。これによって、広告表示装置１，５は、コンテンツデータおよび分類結果が改ざんされることを防止し、安全で客観的な分類結果に基づいて、各再生表示端末のコンテンツデータの表示制限を行うことができる。
【０１７５】
さらに、予め定める項目には、コンテンツデータが示すコンテンツの視聴者の年齢に関する項目が含まれる。これによって、広告表示装置１，５は、視聴者の年齢に関する表示許可条件を広告表示端末４に設定して、広告表示端末４の視聴者に相応しくないコンテンツデータが表示されることを防止することができる。したがって、広告表示装置１，５は、広告表示端末４の設置場所などに応じて、広告表示端末４を適切に管理することができる。
【０１７６】
さらに、予め定める項目には、コンテンツデータを表示させる時刻に関する項目が含まれる。これによって、広告表示装置１，５は、広告表示端末４に、コンテンツデータの内容に応じてコンテンツデータを表示させる時刻を設定することができる。したがって、広告表示装置１，５は、広告表示端末４の設置場所などに応じて、広告表示端末４を適切に管理することができる。
【０１７７】
さらに、予め定める項目には、コンテンツデータが示すコンテンツの分野に関する項目が含まれる。これによって、広告表示装置１，５は、コンテンツデータが示すコンテンツの分野に関する表示許可条件を広告表示端末４に設定して、広告表示端末４の視聴者にふさわしくないコンテンツデータが表示されることを防止することができる。したがって、広告表示装置１，５は、広告表示端末４の設置場所などに応じて、広告表示端末４を適切に管理することができる。
【０１７８】
さらに、表示許可設定手段によって、コンテンツの分野に関する項目について、コンテンツデータの表示の許可に対する追加料金が広告主から支払われることによって表示許可条件を緩和する第２の表示許可条件が設定される。
【０１７９】
これによって、広告表示装置１，５は、広告表示端末４の所有者によって設定される表示許可条件の多様性を高めることができる。したがって、広告表示装置１，５は、広告表示端末４の所有者の意思を反映させつつ、コンテンツデータを表示することによって得られる収益を増加させることができる。
【０１８０】
さらに、広告表示方法は、広告記憶工程と、表示許可記憶工程と、判定工程と、表示制御工程とを含む。広告記憶工程では、広告を表す１または複数のコンテンツデータと、コンテンツデータを予め定める項目によって分類した分類結果とが、互いに関連付けた状態で予め記憶される。表示許可記憶工程では、広告表示端末４の所有者または広告代理店などの広告表示端末４の管理者が広告表示端末４にコンテンツデータの表示の許可を設定する表示許可条件であって、予め定める項目に基づいて定められる表示許可条件が、予め記憶される。判定工程では、広告情報の広告主によって、広告記憶工程で記憶されたコンテンツデータのうちいずれかのコンテンツデータの表示を広告表示端末４に対して要求するための表示要求情報を受信すると、コンテンツデータに関連付けて記憶された分類結果について、表示許可記憶工程で記憶された表示許可条件を満たすか否かが判定される。広告表示方法では、判定工程によって分類結果が表示許可条件を満たすと判定されるとき、コンテンツデータが広告表示端末４に表示され、判定工程によって分類結果が表示許可条件を満たさないと判定されるとき、コンテンツデータが広告表示端末４に表示されない。
【０１８１】
広告表示方法では、コンテンツデータと分類結果とを互いに関連付けて予め記憶し、広告表示端末４に表示許可条件を予め設定している。これによって、広告表示方法では、広告主からの表示要求情報を受信すると、コンテンツデータに関連付けられた分類結果が、表示許可条件を満たすか否かを、自動的に迅速に判定することができる。したがって、広告主は、任意の時刻に任意の広告表示端末４に対して、表示要求情報を送信し、表示許可条件を満たす場合には、表示要求情報を送信した時点から即時にコンテンツデータを表示させることができる。
【０１８２】
また、広告表示端末４の所有者は、広告表示端末４に表示許可条件を設定しておくことができる。これによって、広告表示方法では、広告表示端末４所有者の希望しない内容の広告が、広告表示端末４に表示されることを、常時監視することなく防止することができる。
【符号の説明】
【０１８３】
１  広告表示装置
２  コンテンツサーバ
３  データ送受信端末
４  広告表示端末
５  広告表示装置
６  審査処理サーバ
８  コンテンツ携帯用端末
１１  送受信端末ＣＰＵ
１２  送受信端末入出力部
１３  送受信端末接続部
１４  送受信端末メモリ
１５  送受信端末記憶部
１９  データバス
２１  サーバＣＰＵ
２２  サーバ接続部
２３  サーバ入出力部
２４  サーバメモリ
２５  サーバ記憶部
３１  表示端末ＣＰＵ
３２  表示端末接続部
３３  映像出力部
３４  広告表示部
３５  表示端末入出力部
３６  表示端末メモリ
３７  表示端末記憶部
４１  データ送受信処理プログラム
４２  コンテンツ審査結果登録処理プログラム
４３  広告料金決済処理プログラム
４４  表示許可設定処理プログラム
４５  表示指示操作処理プログラム
４６  表示許可照合処理プログラム
４７  電子署名処理プログラム
５１  コンテンツデータ
５２  コンテンツ管理テーブル
５３  コンテンツ審査結果データ
５４  決済データ
５５  表示許可設定データ
５６  電子署名データ
５７  電子ウォレットデータ
６１  審査結果
７１  携帯用端末ＣＰＵ
７２  携帯用端末入出力部
７３  携帯用端末送受信部
７４  携帯用端末メモリ
７５  携帯用端末記憶部
７９  表示端末送受信部
８１  広告表示装置
８２  表示端末
８３  サーバ
８６  広告表示装置
８７  表示端末
８８  送信端末
【図１】
0005386295.tif 000002
【図２】
0005386295.tif 000003
【図３】
0005386295.tif 000004
【図４】
0005386295.tif 000005
【図５】
0005386295.tif 000006
【図６】
0005386295.tif 000007
【図７】
0005386295.tif 000008
【図８】
0005386295.tif 000009
【図９】
0005386295.tif 000010
【図１０】
0005386295.tif 000011
【図１１】
0005386295.tif 000012
【図１２】
0005386295.tif 000013
【図１３】
0005386295.tif 000014
【図１４】
0005386295.tif 000015
【図１５】
0005386295.tif 000016
【図１６】
0005386295.tif 000017
【図１７】
0005386295.tif 000018
【図１８】
0005386295.tif 000019
【図１９】
0005386295.tif 000020
【図２０】
0005386295.tif 000021
【図２１】
0005386295.tif 000022
【図２２】
0005386295.tif 000023
【図２３】
0005386295.tif 000024
【図２４】
0005386295.tif 000025
【図２５】
0005386295.tif 000026
【図２６】
0005386295.tif 000027
【図２７】
0005386295.tif 000028
【図２８】
0005386295.tif 000029
【図２９】
0005386295.tif 000030
【図３０】
0005386295.tif 000031
【図３１】
0005386295.tif 000032